(57)【要約】【課題】メイン液晶セルにサブ液晶セルを簡単に取り付けることができる組み立て装置を提供する。【解決手段】メイン液晶セル１０２にサブ液晶セル１０４を取り付ける組み立て装置１０であって、円柱状の持ち手部１２からメイン液晶セル１０２を吸着する第１吸着部１４と、持ち手部１２から突出してサブ液晶セル１０４を吸着し、且つ、持ち手部１２から磁石によって着脱自在となった第２吸着部１８とから構成されている。【選択図】      図６
2008122654.tif 000002
【特許請求の範囲】
【請求項１】
第１液晶セルに第２液晶セルを取り付けるための組み立て装置において、
持ち手部と、
前記持ち手部から突出して前記第１液晶セルの表示面を吸着する第１吸着部と、
前記持ち手部から突出して前記第２液晶セルの表示面を吸着し、かつ、前記持ち手部から着脱自在の第２吸着部と、
を有する組み立て装置。
【請求項２】
前記第１液晶セルと前記第２液晶セルとがフレキシブル配線基板によって接続され、
前記第１吸着部と前記第２吸着部とが前記持ち手部から同じ方向に突出している、
請求項１記載の組み立て装置。
【請求項３】
前記第２吸着部と前記持ち手部とが、磁石によって着脱自在に固定されている、
請求項１記載の組み立て装置。
【発明の詳細な説明】
【技術分野】
【０００１】
本発明は、液晶表示装置において、メイン液晶セルにサブ液晶セルを取り付けるための組み立て装置に関するものである。
【背景技術】
【０００２】
最近の携帯電話においては、メイン液晶画面とサブ液晶画面を表裏一体にした液晶表示装置が搭載されている。
【０００３】
この液晶表示装置は、例えば、メイン液晶セルの裏面側にバックライト等を配置し、さらにその裏面にサブ液晶セルを配置し、これらをフレームに一体に収納されている（例えば、特許文献１参照）。
【特許文献１】特開２００６−１９５３７６公報
【発明の開示】
【発明が解決しようとする課題】
【０００４】
上記のようなメイン液晶セルとサブ液晶セルを備えた液晶表示装置を組み立てる場合に、従来は作業者が指でメイン液晶セルを持ってフレームを取り付け、その後にサブ液晶セルをこのフレームに取り付けていた。そのため、メイン液晶セルまたはサブ液晶セルの表示面を指で触ることとなり、製品に不具合や表示面が汚れたりするという問題点があった。
【０００５】
そこで、本発明は上記問題点に鑑み、メイン液晶セルにサブ液晶セルを簡単に取り付けることができる組み立て装置を提供する。
【課題を解決するための手段】
【０００６】
本発明は、第１液晶セルに第２液晶セルを取り付けるための組み立て装置において、持ち手部と、前記持ち手部から突出して前記第１液晶セルの表示面を吸着する第１吸着部と、前記持ち手部から突出して前記第２液晶セルの表示面を吸着し、かつ、前記持ち手部から着脱自在の第２吸着部と、を有する組み立て装置である。
【発明の効果】
【０００７】
本発明によれば、第１吸着部に第１液晶セルの表示面を吸着し、第２吸着部に第２液晶セルの表示面を吸着する。次に、作業者は持ち手部を持ちながら、第２吸着部を持ち手部から外し、第１液晶セルに第２液晶セルを取り付ける。これによって、容易に第１液晶セルと第２液晶セルを取り付けることができる。
【発明を実施するための最良の形態】
【０００８】
以下、本発明の一実施形態の組み立て装置１０について図１〜図７に基づいて説明する。
【０００９】
（１）液晶表示装置１００の構成
先ず、組み立ての対象となる液晶表示装置１００について、図２及び図３に基づいて説明する。この液晶表示装置１００は、一例として例えば、携帯電話に搭載されるものである。
【００１０】
図２は、組み立て前の液晶表示装置１００の斜視図である。
【００１１】
液晶表示装置１００は、２〜３インチのメイン液晶セル１０２と、１インチのサブ液晶セル１０４とを有し、この間をフレキシブル配線基板（以下、ＦＰＣという）１０６によって接続されている。サブ液晶セル１０４の周囲には額縁状の固定シート１０８が設けられている。なお、図２において、メイン液晶セル１０２とサブ液晶セル１０４の表示面は下方に位置している。
【００１２】
なお、このときに固定シート１０８とバックライトとが対向する部分に両面テープなどの接着手段が施されてもよい。
【００１３】
図３は、組み立て後の液晶表示装置１００の斜視図である。
【００１４】
メイン液晶セル１０２がフレーム１１０内部に収納され、このフレーム１１０の裏面側にサブ液晶セル１０４が収納されている。このサブ液晶セル１０４は、固定シート１０８によってフレーム１１０の額縁状の部分に固定される。また、このフレーム１１０内部には、不図示のバックライト等が収納されている。
【００１５】
（２）組み立て装置１０の構成
次に、図１に基づいて組み立て装置１０の構造ついて説明する。
【００１６】
組み立て装置１０は金属製であって、円柱形の持ち手部１２の一端部から、第１吸着部１４が突出している。この第１吸着部１４は、側面形状がＬ字型をなし、先端部にある平面部１６から４個の吸着口１６が突出している。
【００１７】
持ち手部１２の他端部には、着脱自在に第２吸着部１８が取り付けられている。この第２吸着部１８と円柱形の持ち手部１２とは、磁石によって着脱できる。この第２吸着部１８と第１吸着部１４の突出方向は同一方向であって、第２吸着部１８の先端部にも４個の吸着口２０が設けられている。
【００１８】
持ち手部の他端部軸方向には、コンプレッサーに通じるホース２２が接続されている。そして、コンプレッサーによって空気を吸引すると、第１吸着部１４の４個の吸着口１６から空気が吸引される。また、第２吸着部１８と持ち手部１２との間にもホース２４が設けられ、コンプレッサーが空気を吸引するとホース２４を介して第２吸着部１８の４個の吸着口２０から空気を吸引する。
【００１９】
持ち手部１２の一端部には、このコンプレッサーをオン／オフするためのスイッチ２６が設けられている。
【００２０】
（３）組み立て方法
上記構成の液晶表示装置１００を、組み立て装置１０によって組み立てる方法について図４〜図７に基づいて説明する。
【００２１】
（３−１）第１工程
第１の工程では、図４に示すように、手袋をした作業者が、スイッチ２６をオン状態にし、持ち手部１２を持ち、第１吸着部１４と第２吸着部１８にそれぞれメイン液晶セル１０２とサブ液晶セル１０４を吸着して固定する。この場合に、メイン液晶セル１０２の表示面側が吸着されるようにし、サブ液晶セル１０４についても同様に表示面側が吸着されるようにする。
【００２２】
（３−２）第２工程
第２工程では、図５に示すように、作業者は持ち手部１２を持ちながら、メイン液晶セル１０２を、バックライトが取り付けられたフレーム１１０に取り付ける。
【００２３】
（３−３）第３工程
第３工程では、図６に示すように、作業者が第２吸着部１８を持ち手部１２から取り外し、ＦＰＣ１０６を折り曲げて、図７に示すようにフレーム１１０にサブ液晶セル１０４を取り付ける。持ち手部１２と第２吸着部１８とは磁石によって取り付けられているだけであるため、簡単に第２吸着部１８を外し、サブ液晶セル１０４をフレーム１１０に取り付けることができる。この場合に、サブ液晶セル１０４には、額縁状の固定シート１０８が設けられ、このバックライトに接着剤が塗布されているため、フレーム１１０に確実に取り付けることができる。
【００２４】
（３−４）第４工程
第４工程では、スイッチ２６をオフ状態にし、組み立てが終了した液晶表示装置１００を第１吸着部１４から取り外し、組み立てが完了する。
【００２５】
（４）効果
上記構成の組み立て装置１０であると、メイン液晶セル１０２とサブ液晶セル１０４の表示面を作業者の手で触ることなく組み立てることができるため、不具合が生じたり表示面が汚れたりすることがなく、さらに作業も簡単に行うことができる。
【００２６】
本発明は上記各実施形態に限らず、例えば固定シートに回路部品が搭載されるなど、その主旨を逸脱しない限り種々に変更することができる。
【図面の簡単な説明】
【００２７】
【図１】本発明の一実施形態を示す組み立て装置の斜視図である。
【図２】組み立て前の液晶表示装置の斜視図である。
【図３】組み立て後の液晶表示装置の斜視図である。
【図４】第１工程における組み立て装置と液晶表示装置の側面図である。
【図５】第２工程における組み立て装置と液晶表示装置の側面図である。
【図６】第３工程における組み立て装置と液晶表示装置の側面図であって、第２吸着部１８を移動させている状態の図である。
【図７】第３工程における組み立て装置と液晶表示装置の側面図であって、サブ液晶セルをフレームに取り付けた状態の図である。
【符号の説明】
【００２８】
１０  組み立て装置
１２  持ち手部
１４  第１吸着部
１６  吸着口
１８  第２吸着部
２０  吸着口
２２  ホース
２４  ホース
２６  スイッチ
１００  液晶表示装置
１０２  メイン液晶セル
１０４  サブ液晶セル
１０６  ＦＰＣ
１０８  固定シート
１１０  フレーム
【図１】
2008122654.tif 000003
【図２】
2008122654.tif 000004
【図３】
2008122654.tif 000005
【図４】
2008122654.tif 000006
【図５】
2008122654.tif 000007
【図６】
2008122654.tif 000008
【図７】
2008122654.tif 000009